(57)【要約】  【課題】  ユーザーの意に反する画面変化を防止したナビゲーション装置を提供する。  【解決手段】  ステアリングホイール８の操舵角を検出する操舵角検出ユニット７からの操舵角情報で、車両６９の操舵状況を判断する操舵判断部５を設け、制御部１が、操舵判断部５に基づく操舵状況に応じて、表示部２に、後方の撮影情報を表示させるように制御する。【選択図】      図１
2006226766.tif 000002
【特許請求の範囲】
【請求項１】
少なくとも、下記情報、
（ａ）車両の目的地点に至るまでの最適ルートをマップデータ上に表示させる最適ルート情報
（ｂ）車両後方を撮影する後方撮影ユニットからの撮影情報
のいずれかまたは両方を、
表示部にて表示するように制御する制御部を設けたナビゲーション装置において、
ステアリングホイールの操舵角を検出する操舵角検出ユニットからの操舵角情報で、車両の操舵状況を判断する操舵判断部を設ける一方、
上記制御部は、
上記操舵判断部に基づく操舵状況に応じて、上記表示部に、上記撮影情報を表示させるように制御することを特徴とするナビゲーション装置。
【請求項２】
さらに、車両の方向指示器による方向情報を取得する方向情報取得部が設けられており、
上記制御部は、
上記方向情報取得部によって車両方向変化の方向情報を取得した場合、
上記操舵判断部に基づく操舵状況に応じて、上記表示部に、上記撮影情報を表示させるように制御することを特徴とする請求項１に記載のナビゲーション装置。
【請求項３】
少なくとも車速を検出する検出ユニットが、さらに設けられており、
上記制御部は、
上記車速が規定された一定速度以上の場合、
上記操舵判断部に基づく操舵状況に応じて、上記表示部に、上記撮影情報を表示させるように制御することを特徴とする請求項１に記載のナビゲーション装置。
【請求項４】
少なくとも車速を検出する検出ユニットが、さらに設けられており、
上記制御部は、
上記車速が規定された一定速度以上で、かつ、上記方向情報取得部による車両方向変化の方向情報を取得した場合、
上記操舵判断部に基づく操舵状況に応じて、上記表示部に、上記撮影情報を表示させるように制御することを特徴とする請求項２に記載のナビゲーション装置。
【請求項５】
上記制御部は、
規定された第１操舵角およびこの第１操舵角よりも大きな第２操舵角を用いて、上記操舵状況を判断するようになっており、
上記操舵角情報に基づく操舵角が、第１操舵角よりも大きく、第２操舵角よりも小さい場合、
上記表示部に、上記撮影情報を表示させるように制御することを特徴とする請求項１〜４のいずれか１項に記載のナビゲーション装置。
【請求項６】
少なくとも、下記情報、
（ａ）車両の目的地点に至るまでの最適ルートをマップデータ上に表示させる最適ルート情報
（ｂ）車両後方を撮影する後方撮影ユニットからの撮影情報
のいずれかまたは両方を、
表示部にて表示するように制御する制御部を設けたナビゲーション装置において、
少なくとも車両の位置状況を検出する検出ユニットが設けられており、
上記制御部は、
上記車両の位置状況から、車両が上記最適ルート上の交差点を通過する場合、上記最適ルートを上記表示部にて表示させることを特徴とするナビゲーション装置。
【請求項７】
少なくとも、下記情報、
（ａ）車両の目的地点に至るまでの最適ルートをマップデータ上に表示させる最適ルート情報
（ｂ）車両後方を撮影する後方撮影ユニットからの撮影情報
のいずれかまたは両方を、
表示部にて表示するように制御する制御部を設けたナビゲーション装置において、
少なくとも車両の位置状況および進行方向を検出する検出ユニットと、
車両の方向指示器による方向情報を取得する方向情報取得部と、
が設けられており、
上記制御部は、下記（イ）または（ロ）のように制御することを特徴とするナビゲーション装置；
（イ）上記方向情報取得部による車両方向変化の方向情報を取得し、かつ、その取得地点からの進行方向先に、上記最適ルート上の交差点が位置する場合、上記最適ルート情報を上記表示部にて表示させる。
（ロ）上記方向情報取得部によるが車両方向変化の方向情報を取得し、かつ、その取得地点からの進行方向先が、上記最適ルート上の複数車線である場合、上記撮影情報を上記表示部にて表示させる。
【請求項８】
上記制御部は、
上記（イ）において、
上記の進行方向先にある上記最適ルート上の交差点までの距離を算出し、
その算出距離が規定された閾走行距離以内の場合、上記最適ルート情報を上記表示部にて表示させる一方、
上記の進行方向先にある上記最適ルート上の交差点までの距離を算出し、
その算出距離が規定された閾走行距離を超える場合、上記撮影情報を上記表示部にて表示させることを特徴とする請求項７に記載のナビゲーション装置。
【請求項９】
少なくとも、下記情報、
（ａ）車両の目的地点に至るまでの最適ルートをマップデータ上に表示させる最適ルート情報
（ｂ）車両後方を撮影する後方撮影ユニットからの撮影情報
のいずれかまたは両方を、
表示するように制御するナビゲーション装置の表示制御方法において、
ステアリングホイールの操舵角を検出する操舵角検出ユニットからの操舵角情報で、車両の操舵状況を判断する操舵判断工程と、
上記操舵判断工程に基づく操舵状況に応じて、上記撮影情報を表示させるように制御する撮影情報選択表示工程と、
を含むことを特徴とするナビゲーション装置の表示制御方法。
【請求項１０】
さらに、車両の方向指示器による方向情報を取得する方向情報取得工程を含み、
この方向情報取得工程において、車両方向変化の方向情報を取得した場合、
上記操舵判断工程、および上記撮影情報選択表示工程を行うようになっていることを特徴とする請求項９に記載のナビゲーション装置の表示制御方法。
【請求項１１】
上記車両の車速を計測するとともに、その計測車速が規定された一定速度以上であるか否かを判断する車速計測判断工程を含み、
この車速計測判断工程で、車速が一定速度以上の場合、
上記操舵判断工程、および上記撮影情報選択表示工程を行うようになっていることを特徴とする請求項９に記載のナビゲーション装置の表示制御方法。
【請求項１２】
上記車両の車速を計測するとともに、その計測車速が規定された一定速度以上であるか否かを判断する車速計測判断工程を含み、
上記方向情報取得工程において、車両方向変化の方向情報を取得し、かつ、上記車速計測判断工程で、車速が一定速度以上の場合、
上記操舵判断工程、および上記撮影情報選択表示工程を行うようになっていることを特徴とする請求項１０に記載のナビゲーション装置の表示制御方法。
【請求項１３】
上記操舵判断工程では、
規定された第１操舵角およびこの第１操舵角よりも大きな第２操舵角を用いて、上記操舵状況を判断するようになっており、
上記操舵角情報に基づく操舵角が、第１操舵角よりも大きく、第２操舵角よりも小さい場合、
上記撮影情報選択表示工程を行うようになっていることを特徴とする請求項９〜１２のいずれか１項に記載のナビゲーション装置の表示制御方法。
【請求項１４】
少なくとも、下記情報、
（ａ）車両の目的地点に至るまでの最適ルートをマップデータ上に表示させる最適ルート情報
（ｂ）車両後方を撮影する後方撮影ユニットからの撮影情報
のいずれかまたは両方を、
表示するように制御するナビゲーション装置の表示制御方法において、
車両の位置状況を検出する車両位置検出工程と、
上記車両位置検出工程に基づく車両の位置状況から、車両が上記最適ルート上の交差点を通過する場合、上記撮影情報を表示させるように制御する撮影情報選択表示工程と、
を含むことを特徴とするナビゲーション装置の表示制御方法。
【請求項１５】
少なくとも、下記情報、
（ａ）車両の目的地点に至るまでの最適ルートをマップデータ上に表示させる最適ルート情報
（ｂ）車両後方を撮影する後方撮影ユニットからの撮影情報
のいずれかまたは両方を、
表示するように制御するナビゲーション装置の表示制御方法において、
車両の位置状況を検出する車両位置検出工程と、
車両の進行方向を検出する進行方向検出工程と、
車両の方向指示器による方向情報を取得する方向情報取得工程と、
が含まれ、
さらに、下記（イ’）または（ロ’）の工程が含まれることを特徴とするナビゲーション装置の表示制御方法；
（イ’）上記方向情報取得工程にて車両方向変化の方向情報を取得し、
その取得地点での車両位置を上記車両位置検出工程で検出するとともに、
検出された車両位置からの進行方向先を、上記進行方向検出工程で検出し、
検出された進行方向先に、上記最適ルート上の交差点が位置する場合、上記最適ルート情報を上記表示部にて表示させるように制御する最適ルート選択表示工程。
（ロ’）上記方向情報取得工程にて車両方向変化の方向情報を取得し、
その取得地点での車両位置を上記車両位置検出工程で検出するとともに、
検出された車両位置からの進行方向先を、上記進行方向検出工程で検出し、
検出された進行方向先が、上記最適ルート上の複数車線である場合、上記撮影情報を上記表示部にて表示させるように制御する撮影情報選択表示工程。
【請求項１６】
上記（イ’）において、
上記の進行方向先にある上記最適ルート上の交差点までの距離を算出し、
その算出距離が規定された閾走行距離以内の場合、上記最適ルート情報を上記表示部にて表示させる一方、
上記の進行方向先にある上記最適ルート上の交差点までの距離を算出し、
その算出距離が規定された閾走行距離を超える場合、上記撮影情報を上記表示部にて表示させることを特徴とする請求項１５に記載のナビゲーション装置の表示制御方法。
【請求項１７】
少なくとも、下記情報、
（ａ）車両の目的地点に至るまでの最適ルートをマップデータ上に表示させる最適ルート情報
（ｂ）車両後方を撮影する後方撮影ユニットからの撮影情報
のいずれかまたは両方を、
表示部にて表示するように制御する制御部を設けたナビゲーション装置の表示制御プログラムにおいて、
操舵判断部に、ステアリングホイールの操舵角を検出する操舵角検出ユニットからの操舵角情報で、車両の操舵状況を判断させるように機能させる一方、
上記制御部に、
上記操舵判断部に基づく操舵状況に応じて、上記表示部に、上記撮影情報を表示させるように機能させることを特徴とするナビゲーション装置の表示制御プログラム。
【請求項１８】
さらに設けた方向情報取得部に、車両の方向指示器による方向情報を取得するように機能させるとともに、
上記制御部には、
上記方向情報取得部で車両方向変化の方向情報を取得した場合、
上記操舵判断部に基づく操舵状況に応じて、上記表示部に、上記撮影情報を表示させるように機能させることを特徴とする請求項１７に記載のナビゲーション装置の表示制御プログラム。
【請求項１９】
さらに設けた上記検出ユニットに、少なくとも車速を検出させるように機能させるとともに、
上記制御部には、
上記車速が規定された一定速度以上の場合、
上記操舵判断部に基づく操舵状況に応じて、上記表示部に、上記撮影情報を表示させるように機能させることを特徴とする請求項１７に記載のナビゲーション装置の表示制御プログラム。
【請求項２０】
さらに設けた上記検出ユニットに、少なくとも車速を検出させるように機能させるとともに、
上記制御部には、
上記車速が規定された一定速度以上で、かつ、上記方向情報取得部で車両方向変化の方向情報を取得した場合、
上記操舵判断部に基づく操舵状況に応じて、上記表示部に、上記撮影情報を表示させるように機能させることを特徴とする請求項１８に記載のナビゲーション装置の表示制御プログラム。
【請求項２１】
上記制御部には、
規定された第１操舵角およびこの第１操舵角よりも大きな第２操舵角を用いて、上記操舵状況を判断させるようになっており、
上記操舵角情報に基づく操舵角が、第１操舵角よりも大きく、第２操舵角よりも小さい場合、
上記表示部に、上記撮影情報を表示させるように機能させることを特徴とする請求項１７〜２０のいずれか１項に記載のナビゲーション装置の表示制御プログラム。
【請求項２２】
少なくとも、下記情報、
（ａ）車両の目的地点に至るまでの最適ルートをマップデータ上に表示させる最適ルート情報
（ｂ）車両後方を撮影する後方撮影ユニットからの撮影情報
のいずれかまたは両方を、
表示部にて表示するように制御する制御部を設けたナビゲーション装置の表示制御プログラムにおいて、
設けられた検出ユニットに、少なくとも車両の位置状況を検出するように機能させるとともに、
上記制御部には、
上記車両の位置状況から、車両が上記最適ルート上の交差点を通過する場合、上記最適ルート情報を上記表示部にて表示させるように機能させることを特徴とするナビゲーション装置の表示制御プログラム。
【請求項２３】
少なくとも、下記情報、
（ａ）車両の目的地点に至るまでの最適ルートをマップデータ上に表示させる最適ルート情報
（ｂ）車両後方を撮影する後方撮影ユニットからの撮影情報
のいずれかまたは両方を、
表示部にて表示するように制御する制御部を設けたナビゲーション装置の表示制御プログラムにおいて、
設けられた検出ユニットに、少なくとも車両の位置状況および進行方向を検出するように機能させ、
さらに設けられた方向情報取得部に、車両の方向指示器による方向情報を取得するように機能させるとともに、
上記制御部には、下記（イ’’）または（ロ’’）のように制御するように機能させることを特徴とするナビゲーション装置の表示制御プログラム；
（イ’’）上記方向情報取得部で車両方向変化の方向情報を取得し、かつ、その取得地点からの進行方向先に、上記最適ルート上の交差点が位置する場合、上記最適ルート情報を上記表示部にて表示させる。
（ロ’’）上記方向情報取得部で車両方向変化の方向情報を取得し、かつ、その取得地点からの進行方向先が、上記最適ルート上の複数車線である場合、上記撮影情報を上記表示部にて表示させる。
【請求項２４】
上記制御部には、
上記（イ’’）において、
上記の進行方向先にある上記最適ルート上の交差点までの距離を算出し、
その算出距離が規定された閾走行距離以内の場合、上記最適ルート情報を上記表示部にて表示させるように機能させる一方、
上記の進行方向先にある上記最適ルート上の交差点までの距離を算出し、
その算出距離が規定された閾走行距離を超える場合、上記撮影情報を上記表示部にて表示させるように機能させることを特徴とする請求項２３に記載のナビゲーション装置の表示制御プログラム。
【請求項２５】
請求項１７〜２４のいずれか１項に記載したナビゲーション装置の表示制御プログラムを記録したコンピューター読み取り可能な記録媒体。
【発明の詳細な説明】
【技術分野】
【０００１】
本発明は、後方確認できる後方カメラを設けた車両に搭載されるナビゲーション装置等に関するものである。
【背景技術】
【０００２】
交通事故の一例として、車線変更過程の車両と、その車両後方から進行（例えば直進）してくるオートバイ等との接触が挙げられる。そして、このような事故の原因の１つには、車両を運転しているドライバー（ユーザー）の後方確認、特に斜め後方の確認が不十分である点が考えられる。
【０００３】
しかしながら、車室内に設けられたルームミラー、および車両サイドに設けられたサイドミラーのみによる後方確認では、死角が生じてしまい、斜め後方の確認が不十分にならざるを得ない現状もある。
【０００４】
そこで、かかるような問題を解決すべく、特許文献１の車載ナビゲーション装置では、一定速度以上で走行している車両が曲がろうとする場合、後方カメラを斜め方向に移動させることで、従来死角となっていた方向（斜め後方方向）をモニターにて表示させるようにしている。
【０００５】
そのため、ユーザーは、このモニターを視認することで斜め後方を容易に確認でき、安全な走行を行えるようになっている。
【特許文献１】特開２００２−２０４４４６号公報（請求項２・請求項４、段落０００６・段落０００８等を参照）
【発明の開示】
【発明が解決しようとする課題】
【０００６】
しかしながら、このような特許文献１のナビゲーション装置では、ナビゲーション装置で案内される経路（ナビルート）を、モニター上で確認しながら運転している場合であっても、強制的にモニター上で斜め後方方向が表示されるようになっている。つまり、ナビルートを目視で確認しながら走行中であっても、一定速度以上で車両を曲げようとすると、突然、斜め後方方向がモニター表示されるようになっている。
【０００７】
例えば、以下のような例が挙げられる。
（１）高速道路から一般道路に移ろうとする場合である。この場合、モニター上のナビルートでインターチェンジ等を探しながら、比較的高速状態でウインカーを出し、高速道路と一般道路とを接続する接続道路に進入しようとすると、突然、斜め後方方向がモニター表示される。
（２）全く渋滞しておらず良好な交通状態の場合である。この場合、モニター上のナビルートでＹ字路等におけるどれか１つの道路を探しながら、比較的高速でウインカーを出し、進みたい道路に進入しようとすると、突然、斜め後方方向がモニター表示される。
【０００８】
このような列挙した例の場合には、ユーザーがナビルートを視認したいと思っているにもかかわらず、突然、モニター画面が斜め後方を示す画面に変化するように（切り替わるように）なっている。
【０００９】
したがって、このような意に反する画面変化は、ユーザーに対して、動揺を与える一因となり、交通事故をかえって引き起こす原因にもなりかねない。
【００１０】
本発明は、上記の問題点を解決するためになされたものであって、その目的は、ユーザーの意に反する画面変化を防止したナビゲーション装置を提供することにある。
【課題を解決するための手段】
【００１１】
本発明は、少なくとも、下記情報、
（ａ）車両の目的地点に至るまでの最適ルートをマップデータ上に表示させる最適ルート情報
（ｂ）車両後方を撮影する後方撮影ユニットからの撮影情報
のいずれかまたは両方を、表示部にて表示するように制御する制御部を設けたナビゲーション装置である。そして、このナビゲーション装置には、ステアリングホイールの操舵角を検出する操舵角検出ユニットからの操舵角情報で、車両の操舵状況を判断する操舵判断部が設けられるようになっている。そして、さらに、上記制御部が、上記操舵判断部に基づく操舵状況に応じて、上記表示部に、上記撮影情報を表示させるように制御していることを特徴としている。
【００１２】
特に、上記制御部は、規定された第１操舵角およびこの第１操舵角よりも大きな第２操舵角を用いて、上記操舵状況を判断するようになっており、上記操舵角情報に基づく操舵角が、第１操舵角よりも大きく、第２操舵角よりも小さい場合、上記表示部に、上記撮影情報を表示させるように制御している。
【００１３】
このような、ナビゲーション装置であれば、例えば操舵角が小さい場合（第１操舵角よりも大きく、第２操舵角よりも小さい場合）、すなわち車線変更等を行うために、若干ステアリングホイールが回されたような場合には、制御部が、表示部上の画像を必要性の高い撮影情報（後方の撮影情報）に変更させるようになっている。つまり、撮影情報の必要性の高い場合である車線変更等の場合に限って、本発明のナビゲーション装置は、その撮影情報を表示させるようになっている。
【００１４】
逆に、例えば交差点等で車両が曲がる場合や、ステアリングホイールの微調整等の場合では、制御部は、表示部に最適ルートを表示させるようになっている。したがって、このような表示画像の切替の仕組みをユーザーが認識するようにすれば、意に反するような表示部の画像変化が起こらないナビゲーション装置といえる。
【００１５】
また、本発明のナビゲーション装置には、少なくとも車両の位置状況を検出する検出ユニットが設けられており、上記制御部が、上記車両の位置状況から、車両が上記最適ルート上の交差点を通過する場合、上記最適ルートを上記表示部にて表示させることを特徴としていてもよい。
【００１６】
これによると、車両が最適ルート上における交差点を通過している場合には、最適ルートを表示させるようになっている。つまり、交差点を曲がろうとする場合には、行き先を確認等する場合（曲がろうとする交差点が最適ルート上の交差点であるか否かの確認等）が多い。そこで、かかるような場合には、優先的に最適ルート情報を表示部にて表示させるようにして、突然な撮影情報の切替が起こらないようにしている。
【００１７】
したがって、交差点を通過するときには最適ルートが表示されることをユーザーが認識するようにすれば、意に反するような表示部の画像変化が起こらないナビゲーション装置といえる。
【００１８】
また、本発明のナビゲーション装置では、少なくとも車両の位置状況および進行方向を検出する検出ユニットと、車両の方向指示器による方向情報を取得する方向情報取得部と、が設けられており、上記制御部は、下記（イ）または（ロ）のように制御することを特徴としてもよい。
（イ）上記方向情報取得部による車両方向変化の方向情報を取得し、かつ、その取得地点からの進行方向先に、上記最適ルート上の交差点が位置する場合、上記最適ルート情報を上記表示部にて表示させる。
（ロ）上記方向情報取得部によるが車両方向変化の方向情報を取得し、かつ、その取得地点からの進行方向先が、上記最適ルート上の複数車線である場合、上記撮影情報を上記表示部にて表示させる。
【００１９】
なお、特に上記制御部は、上記（イ）において、上記の進行方向先にある上記最適ルート上の交差点までの距離を算出し、その算出距離が規定された閾走行距離以内の場合、上記最適ルート情報を上記表示部にて表示させる一方、上記の進行方向先にある上記最適ルート上の交差点までの距離を算出し、その算出距離が規定された閾走行距離を超える場合、上記撮影情報を上記表示部にて表示させることが好ましい。
【００２０】
このような、本発明のナビゲーション装置であっても、上述同様に、交差点を通過するときには最適ルートが表示されることをユーザーが認識するようにすれば、意に反するような表示部の画像変化が起こらないナビゲーション装置といえる。
【発明の効果】
【００２１】
本発明によると、意に反して後方の撮影情報が表示部上に表示されるようなことが起こりえない。つまり、ユーザーにとって、意に反するような表示部の画像変化が起こらないようにしたナビゲーション装置になっている。
【発明を実施するための最良の形態】
【００２２】
本発明の実施の一形態について、図面に基づいて説明すれば、以下の通りである。
［実施の形態１］
図２は、車両に搭載されたナビゲーション装置５９の構成と、車両６９に取り付けられた後方カメラユニット３等の構成とを示すブロック図である。
〔ナビゲーション装置等の構成について〕
この図２に示すように、ナビゲーション装置５９は、少なくとも、検出センサー群（検出ユニット）１９、メディア放送受信部２１、ＨＤＤ（記憶部）２２、モニター（表示部）２、スピーカー２３、操作ボタン群（入力部）３９、方向情報取得部４、操舵判断部５、内蔵電池４１、ＲＡＭ（Random Access Memory）４２、ＲＯＭ（Read Only Memory）４３、および制御部１を含むように構成されている。
〈検出センサー群について〉
検出センサー群（検出ユニット）１９は、速度検出部１１、ＧＰＳ（Global Positioning System）測位部１２、ジャイロスコープ１３、距離検出部１４、および地磁気検出部１５を含むように構成されている。
【００２３】
速度検出部１１は、車両に備え付けられた車軸の回転状態に基づいて速度を検出するものである。
【００２４】
ＧＰＳ測位部１２は、ＧＰＳ衛星からの電波信号（ＧＰＳ信号）を受信・利用し、車両の緯度・経度・高度等を特定するものである。なお、ＧＰＳ測位部１２は、ＧＰＳ信号を継続的に取得していくことで、車両６９の進み方、例えば交差点を曲がっている状態や、車線変更している状態等を識別できるようになっている。
【００２５】
ジャイロスコープ１３は、ＧＰＳ衛星からの電波を受信できない場合の補助手段として組み込まれているものであり、前後・左右・上下と３方向に対応する軸を用い、基準点からの相対位置を求めるものである。
【００２６】
距離検出部１４は、車両の前後方向の加速度等から走行距離を検出するものである。
【００２７】
地磁気検出部１５は、地磁気から車両の進行方向を検出するものである。
〈メディア放送受信部について〉
メディア放送受信部２１は、メディア放送受信アンテナを介して、ＴＶ（TeleVision）放送局やラジオ放送局から送信されてくるＴＶ放送信号やラジオ放送信号を受信するものである。
〈ＨＤＤについて〉
ＨＤＤ（Hard Disk Drive）２２は、地図情報（マップデータ）やＴＶ放送信号・ラジオ放送信号に基づく映像情報・音声情報（映像音声情報）等を記憶するものである。なお、マップデータ等の記憶するものとしては、ＨＤＤ２２に限らず、ＣＤ（Compact Disc）やＤＶＤ（Digital Versatile Disk）等であっても構わない。
〈モニター・スピーカーについて〉
モニター（表示部）２は、例えば液晶パネルから構成されるものであり、地図情報、ＴＶ放送信号に基づく映像情報、または後方カメラ３ａ（後述）による撮影画像等を表示するものである。
【００２８】
スピーカー２３は、ＴＶ放送信号やラジオ放送信号に基づく音声情報等を放音したり、ナビゲーションの案内音声等を放音したりするものである。
〈操作ボタン群について〉
操作ボタン群（操作部）３９は、少なくとも、ナビ／ＴＶ／後方カメラキー３０、地図拡大キー３１ａ、地図縮小キー３１ｂ、経路設定キー３２、音量増加キー３３ａ、音量減少キー３３ｂ、および４方向キー３４・ＥＮＴＥＲキー３５、を含むように構成されている。なお、操作ボタン群３９は、操作ボタン３９と表現してもよい。
【００２９】
ナビ／ＴＶ／後方カメラキー３０は、モニター３上に、ナビゲーション装置５９によるナビゲーション情報等（ナビ設定画面や地図情報等）の表示、ＴＶ放送等の映像情報等の表示、または後方カメラ３ａによる撮影画像（後方撮影情報）の表示、のいずれかを表示させるか否かを決定するものである。
【００３０】
地図拡大キー３１ａ・地図縮小キー３１ｂは、ナビゲーション（経路案内）に使用される地図画像（マップデータ）を拡大させるか縮小させるかを決定させるものである。
【００３１】
経路設定キー３２は、ユーザーの行きたい場所（すなわち目的地点）の情報を入力させ、その目的地点に応じた最適な経路（最適ルート）の探索を開始させるものである。
【００３２】
音量増加キー３３ａ・音量減少キー３３ｂは、制御部１に対して、音声情報に基づく音量を増加あるいは減少（ＵＰ／ＤＯＷＮ）させるか否かを決定させるものである。
【００３３】
４方向キー３４・ＥＮＴＥＲキー３５は、各種操作（例えば進行方向表示等）を行わせるものである。
〈方向情報取得部・操舵判断部について〉
方向情報取得部４は、車両６９に搭載されたウインカー６の作動信号（ウインカー６のＯＮ信号）を受信するものである。そして、この方向情報取得部４で取得した作動信号の内容（例えば右折なのか左折なのかを示す信号情報）は、制御部１へと送信されるようになっている。
【００３４】
操舵判断部５は、車両６９に搭載されている操舵角検出ユニット７からの信号を受信するものである。なお、操舵角検出ユニット７は、ステアリングホイール（ハンドル）８の操舵角を検出するセンサー等から構成されている。そして、この操舵角検出ユニット７からの信号（操舵角信号）から、操舵判断部５は、例えば車線変更しているのか、交差点を曲がっているのか等を判断するようになっている。
【００３５】
なお、上記の方向情報取得部４・操舵判断部５は、制御部１内に組み込まれるように構成してもよい。つまり、制御部１が、方向情報取得部４と操舵判断部５との機能を発揮できるように構成されていてもよい。
〈内蔵電池について〉
内蔵電池４１は、例えば不図示の車両搭載型バッテリー電池からの電力供給受けて、電力を蓄電できる電池である。そして、この内蔵電池４１を設けることで、ナビゲーション装置５９は、例えば車両から取り外したときでも、動作可能となっている。
〈ＲＡＭ・ＲＯＭについて〉
ＲＡＭ２４は、制御部１による処理結果（ナビゲーションによる道案内結果等）を記憶するものであり、ＲＯＭ２５は、ナビゲーション装置５９を動作させるための経路案内プログラム等を記憶するものである。
〈制御部について〉
制御部１は、ナビゲーション装置５９全体の動作制御等を行う中枢部分となっており、ナビゲーション装置５９の各部材の駆動を有機的に制御して、ナビゲーション動作を統括制御するものである。
【００３６】
そして、本発明のナビゲーション装置５９では、制御部１は、後方カメラユニット３の制御も行うようになっている。この後方カメラユニット３は、車両の後方カメラ３ａと、この後方カメラ３ａを移動させる後方カメラ移動モーター３ｂとから構成されている。
【００３７】
後方カメラ３ａは、レンズ（不図示）と撮像素子（例えばＣＣＤ（Charge Coupled Devices）；不図示）とを含むように構成されている。そして、このレンズを通して取得された光像が撮像素子で光電変換され、電気信号で構成される撮影情報（撮影画像）が得られるようになっている。
【００３８】
後方カメラ移動モーター３ｂは、例えば第１ステッピングモーター（不図示）と第２ステッピングモーター（不図示）とを含むように構成されている。
【００３９】
そして、第１ステッピングモーターは、不図示の垂直軸を中心に、この第１ステッピングモーターに連結されている後方カメラ３ａの回転角度を調整するようになっている。一方、第２ステッピングモーターは、不図示の水平軸を中心に、この第２ステッピングモーターに連結されている後方カメラ３ａの水平角度を調整するようになっている。その結果、制御部１の命令に応じて種々の角度への移動が可能になっている。
〈ナビゲーション装置の概要について〉
以上のような各部材を含むように構成された本発明のナビゲーション装置５９では、検出センサー群１９からの種々の信号、および、ＨＤＤ２２に記憶されたマップデータに基づいて、制御部１が、自車の位置を算出するようになっている。そして、制御部１は、この自車位置と、経路設定キー３２によって入力された目的地点とから、最適なルート（ナビルート）を導き出し、モニター２上に、この最適ルートの情報（最適ルート情報）を表示させるようになっている。
〔本発明の種々の特徴について〕
上述してきたナビゲーション装置５９では、モニター２は、マップデータの情報、マップデータ上に示されるナビルート、ＴＶ放送等のメディア情報、加えて、後方カメラユニット３（具体的には後方カメラ３ａ）からの撮影情報を選択的に、表示可能になっている。
【００４０】
つまり、少なくとも、
（ａ）車両６９の目的地点に至るまでのナビルート（最適ルート）
（ｂ）車両６９の後方を撮影する後方カメラユニット３からの撮影情報（撮影画像）
のいずれかまたは両方を表示できるようになっている。
【００４１】
なお、このようなモニター２の表示を制御するのは、制御部１が行うようになっている。
【００４２】
そして、本発明のナビゲーション装置５９は、ユーザーの意に反するモニター２上の画面変化（画像変化）を防止することにある。例えば、ナビルートを目視しながら、車両６９を交差点で曲げようとしている場合には、ナビルートの必要性が高いので、そのナビルートを継続的に表示させる。一方で、複数車線での車線変更するような場合には、後方確認が重要である一方、ナビルートの必要性が低いので、後方撮影情報（後方撮影画像）を表示させるようになっている。
【００４３】
このようなモニター２上の表示制御のために、本発明のナビゲーション装置５９では、制御部１が、操舵判断部５に基づく操舵状況に応じて（操舵判断工程での操舵状況に応じて）、モニター２に、後方撮影情報〔上記（ｂ）〕を表示させるようになっている（撮影情報選択表示工程）。
【００４４】
具体的には、例えば制御部１内に記憶された（またはＲＯＭ４３等に記憶された）閾値である第１操舵角、およびこの第１操舵角よりも大きい第２操舵角を用いるようになっている（第１操舵角＜第２操舵角）。
【００４５】
なお、この第１操舵角は、およそ９０度であり、例えば車線変更等を行うときに必要な角度になっている。一方、第２操舵角は、およそ１８０度であり、交差点等で曲折するときに必要な角度になっている。
【００４６】
ここで、図１・図２を用いて、上記の第１操舵角および第２操舵角を利用して、モニター２上に後方撮影情報を表示させる工程を説明する。なお、フローチャートにおける各ステップは「Ｓ」と表記する。
【００４７】
まず、ステアリングホイール８を用いて車両６９が曲げられたとき、図１に示すように、操舵角検出ユニット７が操舵角を検出する（Ｓ１；操舵判断工程）。そして、操舵角検出ユニット７は検出（測定）した操舵角（検出操舵角）を示す旨の信号（操舵角信号）を操舵判断部５へと送信する。
【００４８】
そして、操舵判断部５は、検出操舵角が第１操舵角を超えているか否かについて判断する（Ｓ２；操舵判断工程）。ここで、検出操舵角が第１操舵角以内の範囲である場合、例えば一般道路走行中のステアリングホイール８の微調整等と考えられる。したがって、特段に、後方撮影情報を必要としていないので、制御部１は、モニター２上の画像をナビルート表示にしておく（Ｓ４；最適ルート選択表示工程）。
【００４９】
一方、Ｓ２において、検出操舵角が第１操舵角を超えている場合、例えば車両６９が車線変更等するためにステアリングホイール８が回された可能性がある。しかしながら、さらにステアリングホイール８が回されることで、交差点等で曲折しようとしている可能性もある。
【００５０】
そこで、検出操舵角が第１操舵角を超えている場合、さらに、検出操舵角が第２操舵角を超えているか否かについて、操舵判断部５が判断するようになっている（Ｓ３；操舵判断工程）。
【００５１】
ここで、検出操舵角が第２操舵角を超えている場合、上述したように、例えば交差点等で曲折しようとしていると考えられる。したがって、突如の後方撮影情報の表示は、ユーザーを驚かせる要因となる。そのため、制御部１は、モニター２上の画像をナビルート表示にしておく（Ｓ４）。
【００５２】
一方、検出操舵角が第２操舵角以内の場合、上述したように、例えば車両６９が車線変更等を行おうとしていると考えられる。したがって、制御部１は、モニター２上の画像を必要性の高い後方撮影情報に変更させるようになっている（Ｓ５；撮影情報選択表示工程）。
【００５３】
以上のようなモニター２の表示制御が行われる本発明のナビゲーション装置５９は、例えば車線変更しようとしている場合には、後方撮影情報像をモニター２にて表示する一方、交差点を曲がろうとしている（曲折しようとする）場合には、ナビルートを表示するようになっている。したがって、ナビルートを目視しながら交差点等を曲がろうとしている場合に、意に反して後方撮影情報がモニター２上に表示されるようなことが起こりえない。つまり、ユーザーにとって、意に反するようなモニター２の画像変化が起こらないようにしたナビゲーション装置といえる。
［実施の形態２］
本発明の実施の形態２について、図２〜図６を用いて説明する。なお、実施の形態１で用いた部材・ステップと同様の機能を有する部材・ステップについては、同一の符号を付記し、その説明を省略する。
【００５４】
実施の形態１では、ステアリングホイール８の操舵角に基づく情報（操舵角情報）で、操舵判断部５が、車両の操舵状況を判断し、その判断結果に基づいて、制御部１がモニター２の表示（モニター表示）を変更するようになっていた。
【００５５】
しかし、このような、操舵状況のみに依存することなく、ナビルートの画像の継続的なモニター表示をするべきか否かについて判断する方式も考えられる。
【００５６】
例えば、図３に示すように、Ｓ１に至る前に、ウインカー６がＯＮになったか否かについて判断するステップ（Ｓ１１；方向情報取得工程）を加えるようにすればよい。かかるようなＳ１１を加えると、ウインカー６がＯＮのとき（方向情報取得部４がウインカー６のＯＮ信号を受信したとき）、すなわち車線変更や交差点を曲がろうとする場合等には、制御部１は、操舵角検出ユニット７・操舵判断部５を介して、操舵角を測定（Ｓ１）するようになっている。
【００５７】
一方、ウインカー６がＯＦＦのとき（方向情報取得部４がウインカー６のＯＮ信号を受信しないとき）、すなわち直線走行等を継続しているような場合等には、操舵角を測定することなく、制御部１はナビルートを継続的にモニター表示するようになっている（Ｓ１１→Ｓ４）。
【００５８】
また、図４に示すように、Ｓ１に至る前に、速度検出部１１（検出センサー群１９）を用いて、車速が一定以上になったか否かについて判断するステップ（Ｓ１２；車速計測判断工程）を加えるようにしてもよい。
【００５９】
かかるようなＳ１２を加えると、車速が一定以上のとき（例えば３０ｋｍ／ｈｏｕｒ以上のとき）、すなわち高速走行をしている場合等には、操舵角を測定（Ｓ１）し、車線変更等の場合を想定するようになっている。
【００６０】
一方、車速が一定未満のとき、すなわち低速走行等を継続して車線変更等が考えられない場合等には、操舵角を測定することなく、ナビルートを継続的にモニター表示するようになっている（Ｓ１２→Ｓ４）。
【００６１】
これらのような図３・図４では、操舵角を測定することなく、ナビルートの継続的なモニター表示を行うべき場合を判断できる（Ｓ１１→Ｓ４（図３参照）・Ｓ１２→Ｓ４（図４参照）。
【００６２】
なお、図５・図６のように、ウインカー６のＯＮ／ＯＦＦの判断（Ｓ１１）を行ったあとに、車速が一定以上であるか否かについての判断（Ｓ１２）を行うようにしてもよい（図５参照）。また、車速が一定以上であるか否かについての判断（Ｓ１２）行ったあとに、ウインカー６のＯＮの有無判断（Ｓ１１）を行うようにしてもよい（図６参照）。このように、Ｓ１１・Ｓ１２を組み合わせることで、精度よく、ナビルートのモニター表示を行うべきか否かを判断できるためである。
【００６３】
また、図３〜図６のように、操舵角の測定（Ｓ１〜Ｓ３）・ウインカー６のＯＮ／ＯＦＦの判断（Ｓ１１）・車速が一定以上であるか否かの判断（Ｓ１２）を適宜組み合わせることで、精度よくあるいは効率よく、ナビルートと後方撮影情報とのモニター表示の切替が行えるようになることはいうまでもない。
［実施の形態３］
本発明の実施の形態３について説明する。なお、実施の形態１・２で用いた部材・ステップと同様の機能を有する部材・ステップについては、同一の符号を付記し、その説明を省略する。
【００６４】
実施の形態１・２においては、操舵情報を利用することで、モニター表示の切替を行えるようにした本発明のナビゲーション装置５９について説明してきた。しかし、モニター２の表示画面の切替はこの方式に限定されるものではない。
【００６５】
例えば、ＧＰＳ信号とマップデータとを用いることで、モニター表示の切替を行う方式も考えられる。
【００６６】
具体的には、図７に示すように、検出センサー群１９のＧＰＳ測位部１２が、ＧＰＳ信号を受信することで、緯度・経度・高度等を特定する。具体的には、ＧＰＳ測位部１２が、ＧＰＳ信号を継続的に受信することで、走行中の車両６９の位置（位置状況）を把握するようになっている（Ｓ２１；車両位置検出工程）。
【００６７】
そして、制御部１は、この車両の位置状況（走行状況）を示すＧＰＳ信号とＨＤＤ２２に記憶されたマップデータとを合致させるようにする（Ｓ２２；；車両位置検出工程）。つまり、車両の位置状況を〔緯度・経度等と、その緯度・経度に基づくマップデータとから、どのような場所（例えば交差点や複数車線の道路等）を走行中であるかを（どのような走行ルートをたどっているかを）〕判断するようになっている（Ｓ２３；車両位置検出工程）。
【００６８】
そして、このＳ２３の判断において、制御部１が、車両は交差点等を走行中と判断する場合（Ｓ２３のＹＥＳ）、ナビルートをモニター２上に表示させるようになっている（Ｓ４）。一方、制御部１が、車両は複数車線等を走行中と判断する場合（Ｓ２３のＮＯ）、後方撮影情報をモニター２上に表示させるようになっている（Ｓ５）。
【００６９】
このような本発明のナビゲーション装置５９であれば、上述同様、意に反して後方撮影情報がモニター２上に表示されるようなことが起こりえない。
［実施の形態４］
本発明の実施の形態４について説明する。なお、実施の形態１〜３で用いた部材・ステップと同様の機能を有する部材・ステップについては、同一の符号を付記し、その説明を省略する。
【００７０】
実施の形態１〜３以外の他の方式として、車両の位置状況・車両の進行方向・ウインカー６の作動（ウインカー６がＯＮであること）を利用することで、モニター表示を切り替える方式もある。
【００７１】
具体的には、車両の位置状況を把握するＧＰＳ測位部１２および進行方向を検出する地磁気検出部１５を少なくとも含む検出センサー群１９と、車両６９のおけるウインカー６の作動信号を受信する方向情報取得部４とを用いることで、モニター表示を切り替えるようにしている。
【００７２】
詳説すると、図８に示すように、方向情報取得部４が、ウインカー６のＯＮ信号を受信したとき（すなわち車両の方向情報を取得したとき；Ｓ１１（方向情報取得工程））、制御部１は、このＯＮ信号を受信したときのＧＰＳ信号（すなわち位置情報）をＧＰＳ測位部１２を介して取得する（Ｓ３１；車両位置検出工程）。
【００７３】
その後、制御部１は、地磁気検出部１５を用いて、進行方向を確認するとともに（Ｓ３２；進行方向検出工程）、取得したＧＰＳ信号・進行方向と、マップデータとを合致させる（Ｓ３３）。すなわち、車両６９がウインカー６を作動させたとき、マップデータ上のどの位置を走行しており、かつ、どの方向に向かって走行しているかを確認する。
【００７４】
そして、制御部１は、車両６９の進行先にマップデータ上の交差点があるか否かについて判断する（Ｓ３４）。つまり、方向情報取得部４による車両方向変化の方向情報を取得し、かつ、その取得地点からの進行方向先に、ナビルート上の交差点が位置するか否かについて判断するようになっている。
【００７５】
そして、このＳ３４において、交差点があるものと制御部１が判断した場合、制御部１は、モニター２上に、ナビルートを表示させる（Ｓ４；最適ルート選択表示工程）。一方、交差点がないものと制御部１が判断した場合（すなわち車線変更が考えられる場合）、制御部１は、モニター２上に、後方撮影情報を表示させるようになっている（Ｓ５；撮影情報選択表示工程）。
【００７６】
また、さらに、例えば交差点を走行しているのか、車線変更しているのかを精度よく判断するために、図９に示すようにＳ３４以後に、車両６９の進行方向先にあるナビルート上の交差点までの距離を算出し、その算出距離が規定された閾走行距離（例えば５０ｍ）以内であるか否かについての判断結果に基づいて（Ｓ３５）、モニター表示を制御させるようにしてもよい。
【００７７】
つまり、制御部１が、マップデータ・距離検出部１４を用いて、ウインカー６作動を検知した地点から進行方向先の交差点の位置までの距離（算出距離）を求めだし、その距離が閾走行距離以内である場合は、通常の交差点を曲折する走行がされるものと判断する。その結果、制御部１は、モニター２上にはナビルートを継続表示させるようになっている（Ｓ４）。
【００７８】
一方、算出距離が閾走行距離を超える場合、交差点に至る前に車線変更等する場合が考えられる。そのため、制御部１は、モニター２上に後方撮影情報を表示させるようになっている（Ｓ５）。
【００７９】
このような構成のナビゲーション装置５９であれば、上述同様、意に反して後方撮影情報がモニター２上に表示されるようなことが起こりえない。
［その他の実施の形態］
なお、本発明は上記の実施の形態に限定されず、本発明の趣旨を逸脱しない範囲で、種々の変更が可能である。
【００８０】
例えば車速が一定以上か否かを判断するために予め規定された閾車速や、上記の閾走行距離等は、制御部１の各種工程において利用されるようになっていればよく、この閾車速・閾走行距離等がどこに（例えば制御部１内部やＲＯＭ４３内部等）記憶されていても構わない。
【００８１】
また、上述のように、本発明のナビゲーション装置５９では、モニター２の表示が切り替わるようになっているが、操作ボタン群３９を用いて、継続的にナビルートを表示させるように設定したり、継続的に後方撮影画像を表示させるように設定したりすることもできる。例えば車庫入れのとき等は、継続的に後方撮影画像を表示させるように設定すればよい。
【００８２】
また、本発明のナビゲーション装置５９の各部（例えば制御部１等）は、それらを機能させるためのプログラム（例えば表示制御プログラム）でも実現される。そして、このプログラムは、コンピューターに実行させるためのプログラムであり、コンピューターに読み取り可能な記録媒体に記録することもできる。
【００８３】
その結果、表示制御プログラムを、記録媒体として、持ち運び自在に提供することができる。
【００８４】
なお、この記録媒体としては、マイクロコンピューターで処理が行われるために、メモリ、例えばＲＯＭのようなものがプログラムメディアであってもよい。また、外部記憶装置（不図示）として、プログラム読み取り装置が設けられ、そこに記録媒体を挿入することで読み取り可能なプログラムメディアであってもよい。
【００８５】
いずれの場合においても、格納されているプログラムは、マイクロプロセッサー（例えば制御部１）によるアクセスで実行させる構成であってもよい。あるいは、いずれの場合もプログラムを読み出し、読み出されたプログラムは、不図示のプログラム記憶エリアにダウンロードされた後に実行される方式であってもよい。なお、このダウンロード用のプログラムは予め本体装置（ナビゲーション装置５９）に格納されているものとする。
【００８６】
ここで、上記プログラムメディアは、本体（ナビゲーション装置５９）と例えば分離可能に構成される記録媒体であり、磁気テープやカセットテープ等のテープ系、フロッピーディスクやハードディスク等の磁気ディスクやＣＤ−ＲＯＭ／ＭＯ／ＭＤ／ＤＶＤ等の光ディスクのディスク系、ＩＣカード（メモリカードを含む）／光カード等のカード系、あるいはマスクＲＯＭ、ＥＰＲＯＭ（Erasable Programmable Read Only Memory）、ＥＥＰＲＯＭ（Electronically Erasable and Programmable Read Only Memory）、フラッシュメモリ等による半導体メモリを含めた固定的にプログラムを担持する媒体であってもよい。
【００８７】
また、本発明のナビゲーション装置５９では、インターネットを含む通信ネットワークと接続可能な構成とすることもできる。そのため、通信ネットワークからプログラムをダウンロードするように流動的にプログラムを担持する媒体であってもよい。
【００８８】
なお、このように通信ネットワークからプログラムをダウンロードする場合には、そのダウンロード用のプログラムは予め本体装置（ナビゲーション装置５９）に格納しておくか、あるいは別の記録媒体からインストールされるものであってもよい。
【産業上の利用可能性】
【００８９】
本発明は、車両後方の撮影画像（後方撮影情報）を表示できるナビゲーション装置に有用である。
【図面の簡単な説明】
【００９０】
【図１】本発明のナビゲーション装置におけるモニターの表示切替を行う工程（表示切替工程）について説明したフローチャートである。
【図２】本発明のナビゲーション装置、およびそのナビゲーション装置に各種信号を送受信する種々装置（後方カメラユニット等）の内部構成を示すブロック図である。
【図３】操舵角に加え、ウインカーのＯＮ／ＯＦＦを利用したモニターの表示切替工程を示すフローチャートである。
【図４】操舵角に加え、車速を利用したモニターの表示切替工程を示すフローチャートである。
【図５】操舵角に加え、ウインカーのＯＮ／ＯＦＦ、および車速を利用したモニターの表示切替工程を示すフローチャートである。
【図６】図５の他の一例を示すフローチャートである。
【図７】ＧＰＳ信号とマップデータとを利用したモニターの表示切替工程を示すフローチャートである。
【図８】ＧＰＳ信号とマップデータとに加え、ウインカーのＯＮ／ＯＦＦ、および車両の進行方向を利用したモニターの表示切替工程を示すフローチャートである。
【図９】図８の他の一例を示すフローチャートである。
【符号の説明】
【００９１】
１    制御部
２    モニター（表示部）
３    後方カメラユニット（後方撮影ユニット）
３ａ  後方カメラ（後方撮影ユニット）
３ｂ  後方カメラ移動モーター（後方撮影ユニット）
４    方向情報取得部
５    操舵判断部
６    ウインカー
７    操舵角検出ユニット
８    ステアリングホイール
１１    速度検出部
１２    ＧＰＳ測位部
１３    ジャイロスコープ
１４    距離検出部
１５    地磁気検出部
１９    検出センサー群（検出ユニット）
３０    ナビ／ＴＶ／後方カメラキー
３２    経路設定キー
３９    操作ボタン群
５９    ナビゲーション装置
６９    車両
【図１】
2006226766.tif 000003
【図２】
2006226766.tif 000004
【図３】
2006226766.tif 000005
【図４】
2006226766.tif 000006
【図５】
2006226766.tif 000007
【図６】
2006226766.tif 000008
【図７】
2006226766.tif 000009
【図８】
2006226766.tif 000010
【図９】
2006226766.tif 000011